(57)【要約】【課題】従来の大根おろし器は使用する時にかなり力を必要とするので、軽い力でも容易に擦りおろせる大根おろし器を提供する。【解決手段】底板２を有する筒容体６の内側上部に、段部４を有する保持縁３を形成し、その保持縁３に一定幅の欠損開口部５を設けた筒容体６に、円板に排出穴８と突起９を複数個設けた把手１０付きおろし板７を可動自在に組み合わせた大根おろし器１とする。【選択図】図１
0003112311.tif 000002
【実用新案登録請求の範囲】
【請求項１】
おろし板を動かす大根おろし器であって、底板を有する筒容体の内側上部に段部を有する保持縁を形成し、その保持縁に、一定幅の欠損開口部を設けた筒容体の前記段部に、円板に突起と排出穴を数多く設けた把手付きおろし板を可動自在に組み合わせて成る構成を特徴とする大根おろし器。
【請求項２】
上記する筒容体の底部を開口するとともに、その筒容体の下部に収納容器を着脱自在に組み合わせて成る請求項１に記載する大根おろし器。
【考案の詳細な説明】
【技術分野】
【０００１】  本考案は、力の弱い高齢者や子供でも容易に大根を擦りおろすことができる大根おろし器に関する。
【背景技術】
【０００２】  従来、大根を擦りおろすには、金属板またはプラスチック板の表面に小さな突起を数多く設けた大根おろし器の外に、プラスチック板面に楕円状の穴を複数個設け、その穴の周部に小さな突起を数多く設けたおろし板に、専用の容器を組み合わせた大根おろし器などがあり、使用する時は、おろし板の突起面に大根を押し付けて擦りおろす大根おろし器が提供されている。【０００３】  さらに、筒状を成す本体の一方端部に、複数個の穴を有する擦り出し部と取っ手を設けたおろし板を回転自在に設けた前記本体内に大根を収めてから、おろし板の取っ手を回転させて擦りおろせる大根おろし器の技術がある。（例えば、特許文献１参照）
【特許文献１】特開平９−８４７０４公報（第２頁、図１）
【考案の開示】
【考案が解決しようとする課題】
【０００４】  上記するような大根おろし器やその技術があり、いずれも大根を擦りおろす目的は果たす。しかし従来からあるおろし板面に小さな突起を数多く設けたおろし器を使用する場合は、一方の手でおろし器をしっかりと掴み、他方の手は大根をしっかり握っておろし板の突起面に強く押し付けながら前後に動かすことで擦りおろす使い方であるので、おろし器はもとより、大根もしっかり持って擦りおろさなければならないため、慣れない者や力が弱い高齢者や子供などは大変であり時間も掛かった。【０００５】  また特開平９−８４７０４公報に開示される回転式の大根おろし器は、筒状の本体の一方端部に、擦り出し部を有する取っ手付きおろし板を回転自在に設けたものであり、使う時は本体の他方部より大根を差し入れてから、前記の取っ手を持っておろし板を回転させて大根を擦りおろす方式であるが、この大根おろし器を使う場合は、一方の手で本体及び大根を持ちながら、他方の手で取っ手を持っておろし板を回転させなければならないため、操作は面倒であり、かつ力も必要であった。また大根は適宜におろし板面に押し付けながら行う必要があるので、かなり慣れた者でも難しく、また擦りおろして出てくる大根おろしが取っ手を持つ手に触れるので衛生的にも好ましい大根おろし器ではない。
【課題を解決するための手段】
【０００６】  本考案は上記するような不便や欠点を解消するために、請求項１においては、底板を有する筒容体の内側上部に段部を有する保持縁を形成するとともに、前記した段部の上部の保持縁に一定幅の欠損開口部を設けた筒容体の段部に、円板に突起と排出穴を数多く設けた把手付きおろし板を可動自在に組み合わせた大根おろし器とすることで、おろし板面に大根を載せて把手を左右に動かすことで、簡単に擦りおろせる大根おろし器とする。【０００７】  請求項２においては、上記する筒容体の底部を開口するとともに、前記筒容体下部に収納容器を着脱自在に組み合わせられる大根おろし器とする。
【考案の効果】
【０００８】  本考案による大根おろし器は、筒容体の上部に位置する段部に円板状のおろし板をセットし、そのおろし板面に大根を載せて軽く押さえながらおろし板の把手を左右に動かすことで、簡単にしてスピーディに大根を擦りおろせる。また、おろし板はテコの作用を得てきわめて軽い力で動かせるので、力の弱い高齢者や女性、子供でも簡単に擦りおろせる。さらに構成はシンプルで操作も容易であり、かつ洗浄するのも簡単に行える大根おろし器を提供できる。【０００９】  さらに実施例２タイプは、筒容体の下部が開口するとともに、その筒容体に別体形成する収納容器を組み合わせるタイプであるので、残りの大根やおろし板を一々除くことなく筒容体を取り外して分離するだけで、速やかに大根おろしの入った収納容器ごと食卓に運べる。
【考案を実施するための最良の形態】
【００１０】  大根を擦りおろす際にあまり力を必要とせず、かつ構成はシンプルにして扱い易い大根おろし器とするために、底板を有する筒容体の上部に段部を設け、その段部に位置した把手付きおろし板を左右に動かすことで大根を容易に擦りおろせるものとする。
【実施例１】
【００１１】  本考案の大根おろし器を、図１に示す分解斜視図と図２に示す使用状態図、図３のおろし板に大根をセットした拡大断面図で説明する。実施例１による大根おろし器１は、底板２を有する浅い筒体の上部の肉厚を、下部より半分程度薄い保持縁３を形成してなる段部４を設け、かつ前記した保持縁３の側部には、一定の長さ切り欠いた欠損開口部５を設けて成る筒容体６を形成した前記の段部４に、別体形成されるおろし板７として、前記保持縁３の内径と同じか僅かに小さい円板面に排出穴８，８を複数個設け、その排出穴８，８の縁部に小さな突起９，９を数多く設けた円板側部に、一定の長さの把手１０を設けたおろし板７を、前記した筒容体６の段部４に可動自在に組み合わせた大根おろし器１を構成する。【００１２】  実施例１における大根おろし器１は、底板２付き筒体の上部に段部４を設け、かつその上部の保持縁３には一定幅の欠損開口部５を形成した前記段部４に、排出穴８の縁部に小さな突起９を設けた把手１０付おろし板７を可動自在にセットした大根おろし器１を形成するので、おろし板７の把手１０を左右に動かすと、おろし板７の中心を支点として回動する構成である。使用する際は、図２に示すように、適度な長さに切った大根Ａをおろし板７面に載せて軽く押さえたまま前記する把手１０を左右に動かすと、図３に示すように、おろし板７面の突起９，９によって大根Ａを削るとともに、擦りおろされた大根おろしは排出穴８より落下して底板２部で受ける。必要量を擦り終わった後は、筒容体６からおろし板７を取り除いてから、大根おろしを器に移し替えて食卓に運べる。尚、大根Ａはおろし板７面に垂直に載せられかつ大根自体の重みもあるので、傾かない程度に軽く押さえるだけでよく、またおろし板７の中心を支点とし、その支点から把手１０まで一定の長さあるので、テコの作用を得て軽く動かすことが可能となるため、早く擦りおろすため大根Ａを強く押さえても軽い力で擦りおろすことができる。
【実施例２】
【００１３】  実施例２の大根おろし器を、図４に示す筒容体の分解斜視図で説明する。本実施例における大根おろし器１は、基本構成は前記実施例１と同じであるが、擦りおろした大根おろしの収納容器１１を分離組み合わせできるタイプである。まず、筒容体６の上部に段部４を有する保持縁３に一定幅の欠損開口部５を形成するが、その底部は開口して筒状を成す筒容体６とし、その筒容体６の下部に、擦りおろした大根おろしを受ける収納容器１１を着脱自在に組み合わせた大根おろし器１を構成する。【００１４】  本実施例における大根おろし器１の基本構成は実施例１と同様であるが、筒容体６の底部は開口するとともに、その開口部には別体の収納容器１１を組み合わせるタイプであるので、擦りおろした大根おろしは収納容器１１で受けられるとともに、大根Ａやおろし板を除くことなく筒容体６を取り外すことで、そのまま大根おろしの入った収納容器１１を食卓に運ぶことができる。【００１５】  本考案における大根おろし器１は以上のような構成であるが、筒容体６に設ける段部４は、その上部の保持縁３の肉厚を薄く形成することで設けるのが好ましいが、上縁まで同じ肉厚の筒容体６の縁より少し下部位に突縁を設けた段部でもよい。さらにおろし板７に設ける突起９は排出穴８の縁周囲に設けているが、排出穴８と排出穴８の間に設けても差し支えない。またおろし板７の突起を、大きさを変えて表裏面に設けてもよい。加えて、図示しないが、おろし板７の上にドーム型の透明カバーを組み合わせることで、擦り残した大根の保護ができるようにしてもよく、いずれも限定するものではない。
【産業上の利用可能性】
【００１６】  本考案による大根おろし器は、おろし板の突起の大きさが異なるものに取り替えることで、人参や山芋、林檎などのおろし器としても適用できる。
【図面の簡単な説明】
【００１７】
【図１】本発明による実施例１の大根おろし器を示す分解斜視図である。
【図２】実施例１の大根おろし器の使用状態を示す参考図である。
【図３】実施例１のおろし板面に大根をセットした拡大断面図である。
【図４】実施例２の大根おろし器の筒容体を示す分解斜視図である。
【符号の説明】
【００１８】  １  大根おろし器
２  底板
３  保持縁
４  段部
５  欠損開口部
６  筒容体
７  おろし板
８  排出穴
９  突起
１０  把手
１１  収納容器
Ａ  大根
【図１】
0003112311.tif 000003
【図２】
0003112311.tif 000004
【図３】
0003112311.tif 000005
【図４】
0003112311.tif 000006